Podtech/llm-jp-corpus-v4-ja_patent huggingface dataset:
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作可能な可動部材と、
前記始動口に遊技球が入球されることに応じて、第１の大当たり、及び該第１の大当たりよりも遊技者に有利な第２の大当たりを当選種に含む大当たりにかかる抽選処理を行うとともに、該抽選処理に際しては、当該抽選処理を一旦保留の状態とする抽選手段と、
前記保留の状態が解除されることによって行われる前記抽選処理において前記大当たりが当選されたとき、前記開閉装置が開閉動作される大当たり遊技を行う特別遊技実行手段と、
される大当たり遊技を行う特別遊技実行手段と、
前記第１の大当たりが当選されたとき、該当選を契機として、大当たり遊技が実行された後にノーマル遊技状態に制御しうる第１の状態制御手段と、
前記第２の大当たりが当選されたとき、該当選を契機として、大当たり遊技が実行された後に、前記可動部材が動作するときの動作時間が前記ノーマル遊技状態にあるときよりも長い動作時間に設定変更されるチャンス遊技状態に制御しうる第２の状態制御手段と、
前記保留の状態が解除されることによって行われる前記抽選処理の結果が認識可能とされるように特別図柄が変動表示される特別図柄表示器と、
前記特別図柄表示器とは別に、前記抽選処理の結果が遊技者に示唆されるように複数の画像図柄が変動表示演出される表示面を有する演出画像表示装置と、
前記抽選処理が行われたとき、前記複数の画像図柄についての変動表示演出にかかる演出制御を行う表示制御手段と、を備え、
前記表示制御手段は、
前記複数の画像図柄についての変動表示演出にかかる演出制御を行うにあたり、前記抽選処理にて前記大当たりが当選されたか否かを判断する当選判断手段、及び
前記当選判断手段により前記大当たりが当選されなかった旨判断されたとき、第１の変動表示演出と、該第１の変動表示演出よりも前記大当たりへの当選の期待度が高い第２の変動表示演出とのいずれをもって前記演出制御を行うべきかを判断する演出内容判断手段、及び
前記演出内容判断手段により前記第１の変動表示演出を行うべき旨判断されたとき、前記保留の状態とされている抽選処理の処理数を判断するとともに、該判断された処理数が少ないときよりも多いときのほうが前記複数の画像図柄についての変動表示演出に要する時間が短くなるように前記第１の変動表示演出を行う通常変動実行手段、及び
前記演出内容判断手段により前記大当たりへの当選の期待度が高い第２の変動表示演出を行うべき旨判断されたとき、前記ノーマル遊技状態及び前記チャンス遊技状態のいずれの状態にあるかを判断するとともに、前記ノーマル遊技状態においては前記第１の変動表示演出を行うべき旨判断されたときよりも必ず長い時間をかけて前記第２の変動表示演出を行う一方で、前記チャンス遊技状態においては前記第１の変動表示演出を行うべき旨判断されたときよりも必ずしも長い時間をかけて前記第２の変動表示演出を行うとは限らない特別変動実行手段、を有するものであり、
前記通常変動実行手段は、
前記保留の状態とされている抽選処理の処理数が多いときは、前記複数の画像図柄についての変動表示演出に要する時間が前記抽選処理の処理数が少ないときの「１／２」未満とされる短縮変動表示態様にて前記第１の変動表示演出を行う高速演出制御実行手段を有し、少なくとも前記チャンス遊技状態においては当該高速演出制御実行手段によって前記演出制御を行うものであり、
前記特別変動実行手段は、
前記第１の変動表示演出に要する時間よりも長い時間をかけて前記第２の変動表示演出を行うことで、前記第１の変動表示演出よりも前記大当たりへの当選の期待度が高いことを遊技者に示唆する第１の特別変動実行手段のほか、
前記第１の変動表示演出に要する時間よりもあえて短い時間をもって前記第２の変動表示演出を行う第２の特別変動実行手段を有し、前記チャンス遊技状態においては、前記第１の特別変動実行手段により前記第２の変動表示演出が行われる第１の確率よりも、前記第２の特別変動実行手段により前記第２の変動表示演出が行われる第２の確率のほうが高くなるように前記演出制御を行うものであり、
前記第２の特別変動実行手段は、
前記特別図柄が変動表示されてから停止表示されるまでの間に、前記特別図柄表示器では当該特別図柄が１回しか変動表示されないにもかかわらず、前記複数の画像図柄が前記短縮変動表示態様にて複数回にわたって変動表示演出されるように前記演出制御を行うことによって、前記保留の状態とされている抽選処理の処理数が少ないときに前記通常変動実行手段によって行われる前記第１の変動表示演出に要する時間よりも短い時間でありながら、前記第１の変動表示演出よりも前記大当たりへの当選の期待度が高いことを遊技者に示唆しつつ前記第２の変動表示演出を行うようにした
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
患者の視覚を形成する視覚神経系を構成する細胞又は組織を刺激し、患者の視覚を再生する視覚再生補助装置において、
患者の体内に埋植され，視覚神経系を構成する細胞又は組織を電気刺激するための刺激電極と、
該刺激電極から双極性の電気刺激パルス信号を出力するための制御部と、
前記制御部と接続され、前記刺激電極の電極電位を計測するための参照電極と、を備え、
前記制御部は、前記参照電極を用いて得られた前記刺激電極の電極電位に基づいて、所期する電気刺激パルス信号の出力時の前記刺激電極の電極電位のピークが前記刺激電極の電位窓を超えないように、前記刺激電極から出力される前記電気刺激パルス信号のカソード側の注入電荷量とアノード側の注入電荷量を異なるように制御することを特徴とする視覚再生補助装置。
【請求項２】
請求項１の視覚再生補助装置において、前記刺激電極から出力されるカソード側の注入電荷量とアノード側の注入電荷量が異なる電気刺激パルス信号のカソード側の注入電荷量とアノード側の注入電荷量の差分によって、前記刺激電極のパルス間電位（ＩＰＰ）が変更されることを特徴とする視覚再生補助装置。
【請求項３】
請求項１又は２の視覚再生補助装置において、前記刺激電極は生体適合性を有した素材で作製された基板上に形成され、前記参照電極は前記基板上に形成された前記刺激電極の近傍に形成されることを特徴とする視覚再生補助装置。
【請求項４】
請求項１〜３のいずれかの視覚再生補助装置において、前記制御部は前記刺激電極からカソード側の注入電荷量とアノード側の注入電荷量を異なるように出力した後、差分の電荷量を打ち消すための放電電流を流すことを特徴とする視覚再生補助装置。
【請求項５】
請求項１〜４のいずれかの視覚再生補助装置は、前記参照電極の電極電位を補正する参照電極補正手段を有し、該参照電極補正手段の指令に基づいて、前記制御部は前記参照電極の電極電位を補正することを特徴とする視覚再生補助装置。
【手続補正２】
【補正対象書類名】明細書
【補正対象項目名】０００５
【補正方法】変更
【補正の内容】
【０００５】
上記課題を解決するために、本発明は以下のような構成を備えることを特徴とする。
（１）  患者の視覚を形成する視覚神経系を構成する細胞又は組織を刺激し、患者の視覚を再生する視覚再生補助装置において、患者の体内に埋植され，視覚神経系を構成する細胞又は組織を電気刺激するための刺激電極と、該刺激電極から双極性の電気刺激パルス信号を出力するための制御部と、前記制御部と接続され、前記刺激電極の電極電位を計測するための参照電極と、を備え、前記制御部は、前記参照電極を用いて得られた前記刺激電極の電極電位に基づいて、所期する電気刺激パルス信号の出力時の前記刺激電極の電極電位のピークが前記刺激電極の電位窓を超えないように、前記刺激電極から出力される前記電気刺激パルス信号のカソード側の注入電荷量とアノード側の注入電荷量を異なるように制御することを特徴とする。
（２）  （１）の視覚再生補助装置において、前記刺激電極から出力されるカソード側の注入電荷量とアノード側の注入電荷量が異なる電気刺激パルス信号のカソード側の注入電荷量とアノード側の注入電荷量の差分によって、前記刺激電極のパルス間電位（ＩＰＰ）が変更されることを特徴とする。
（３）  （１）又は（２）の視覚再生補助装置において、前記刺激電極は生体適合性を有した素材で作製された基板上に形成され、前記参照電極は前記基板上に形成された前記刺激電極の近傍に形成されることを特徴とする。
（４）  （１）〜（３）のいずれかの視覚再生補助装置において、前記制御部は前記刺激電極からカソード側の注入電荷量とアノード側の注入電荷量を異なるように出力した後、差分の電荷量を打ち消すための放電電流を流すことを特徴とする。
（５）  （１）〜（４）のいずれかの視覚再生補助装置は、前記参照電極の電極電位を補正する参照電極補正手段を有し、該参照電極補正手段の指令に基づいて、前記制御部は前記参照電極の電極電位を補正することを特徴とする。
【手続補正書】
【提出日】平成21年12月9日(2009.12.9)
【手続補正１】
【補正対象書類名】明細書
【補正対象項目名】００３３
【補正方法】変更
【補正の内容】
【００３３】
また、上記の回転操作部材２２の他方向への回転等によって押し出し機構１６が軸１０内部の化粧料１２を減圧する機能を有しており、これによって、押し出し機構１６が化粧料１２に対する加圧を停止した以後に、化粧料１２を前記押し出し機構１６が減圧でき、連通路３６に液体化粧料を戻すことができる。その他、押し出し機構１６において、上記回転操作部材２２の噛合わせ部３４が他方向への回転規制を回転停止させるものにして、液体化粧料の戻しをしないようにすることもできる。
【手続補正２】
【補正対象書類名】明細書
【補正対象項目名】００７５
【補正方法】変更
【補正の内容】
【００７５】
１  液体化粧料塗布具
１０  軸
１０ａ  先端部
１０ｂ  収容空間
１０ｂ  液体化粧料収容空間
１０ｄ  溝部
１２  化粧料
１４  塗付部（第１実施形態）
１４Ａ  塗布部（第２実施形態）
１４Ｂ  塗布部（第３実施形態）
１４Ｃ  塗布部（第４実施形態）
１４Ｄ  塗布部（第５実施形態）
１４ａ  吐出口
１４ｂ  筒状基端部
１４ｃ  先端面
１４ｄ  フランジ部
１６  押し出し機構
１８  ピストン体
２０  軸状部材
２２  回転操作部材
２４  固定筒状体
２６  内筒材
２８  先軸
２８ａ  内部通路
３０  キャップ
３２  外筒キャップ
３４  噛合わせ部
３６  連通路
４０  塗布部の表層部
４２  塗布部の内層部
４６  ブッシュ状部材
４６ａ  フランジ部
４８  第２の先軸
４８ａ  吐出口
４８ｂ  嵌合部
４８ｃ  ブリッジ部
４８ｄ  フランジ状部
【手続補正３】
【補正対象書類名】図面
【補正対象項目名】図１
【補正方法】変更
【補正の内容】
【図１】
2008212282.tif 000001
【手続補正４】
【補正対象書類名】図面
【補正対象項目名】図２
【補正方法】変更
【補正の内容】
【図２】
2008212282.tif 000002
【手続補正５】
【補正対象書類名】図面
【補正対象項目名】図３
【補正方法】変更
【補正の内容】
【図３】
2008212282.tif 000003
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
球を発射する発射手段と、
操作部材と、
その操作部材の操作量に基づいて第１値を変化させる第１値変化手段と、
その第１値変化手段が変化させる第１値に基づいて、前記発射手段から発射される球の発射強度を制御する球制御手段とを備えた遊技機において、
前記第１値変化手段が変化させる第１値とは別に、基準となる第２値を設定する基準値設定手段と、
前記第１値変化手段が変化させる第１値を検出する第１値検出手段と、
その第１値検出手段により検出された第１値が、前記基準値設定手段により設定された第２値より大きいかそれ以上と判定された場合に、前記第１値に代えて、その第１値より大きな第３値を出力する出力値切換手段とを備え、
前記球制御手段は、その出力値切換手段により出力された第３値に基づいて、前記発射手段から発射される球の発射強度を制御するものであることを特徴とする遊技機。
【請求項２】
前記基準値設定手段が設定する第２値は、調整可能に構成されており、
その第２値を調整する値調整手段を備えていることを特徴とする請求項１記載の遊技機。
【請求項３】
前記出力値切換手段が出力する第３値は、調整可能に構成されており、
その第３値を調整する出力値調整手段を備えていることを特徴とする請求項１又は２に記載の遊技機。
【請求項４】
前記発射手段によって発射された球が流下する遊技領域と、
その遊技領域の一方に設けられ、前記発射手段から発射される球が前記遊技領域に発射される発射部と、
その発射部から発射された球が当たり得る球止め部材とを備え、
前記第３値は、前記発射手段から前記発射部を介して発射された球が、前記球止め部材に到達する発射強度であるように設定されていることを特徴とする請求項１から３のいずれかに記載の遊技機。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】０５６１
【補正方法】変更
【補正の内容】
【０５６１】
以下に、本発明の遊技機に加えて、上述した実施形態に含まれる各種発明の概念を示す。
操作部材と、その操作部材の操作量に基づいて第１値を変化させる第１値変化手段とを備えた遊技機において、前記第１値と異なる第２値を出力する第２値出力手段と、前記第１値変化手段により変化される第１値を、第２値出力手段により出力される第２値と合成する合成手段と、その合成手段によって前記第１値と前記第２値とが合成された値に基づいて、発射手段から発射される球の発射強度を制御する球強度制御手段とを備えていることを特徴とする遊技機１。第１変化手段は、操作部材の操作量に基づいて第１値を変化させる。この操作部材の操作量により変化する第１値と、第２値出力手段から出力される第２値を合成手段に入力すると、合成手段は、第１値と第２値とを合成する。合成手段によって第１値と第２値とが合成された値に基づいて、球強度制御手段は、発射手段から発射される球の発射強度を制御する。よって、球の発射強度を、操作部材の操作量により変化する第１値に加え、第２値出力手段から出力される第２値によっても調整することができる。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
球を発射する発射手段と、
操作部材と、
その操作部材の操作量に基づいて第１値を変化させる第１値変化手段と、
その第１値変化手段が変化させる第１値に基づいて、前記発射手段から発射される球の発射強度を制御する球制御手段とを備えた遊技機において、
前記第１値変化手段が変化させる第１値とは別に、第２値を設定する設定値手段と、
その設定値手段により設定される第２値と前記第１値変化手段により変化される第１値とを合成する合成値手段とを備え、
前記球制御手段は、その合成値手段により合成された値に基づいて、前記発射手段から発射される球の発射強度を制御するものであることを特徴とする遊技機。
【請求項２】
前記第１値変化手段は、前記操作部材の操作量に基づいて抵抗値を変化させる可変抵抗器を少なくとも有する第１分圧手段と、その第１分圧手段に直流電圧を供給する直流電圧供給手段とを備え、
前記合成値手段は、その直流電圧供給手段が供給する直流電圧により前記可変抵抗器に発生させた電圧値を前記第１値として、その第１値を前記設定値手段により設定される第２値と合成するものであることを特徴とする請求項１記載の遊技機。
【請求項３】
前記合成値手段により合成された値を正の実数倍する変換値手段を備え、
前記球制御手段は、その変換値手段により正の実数倍された値に基づいて、前記発射手段から発射される球の発射強度を制御するものであることを特徴とする請求項１又は２に記載の遊技機。
【請求項４】
球を発射する発射手段と、
操作部材と、
その操作部材の操作量に基づいて第１値を変化させる第１値変化手段と、
その第１値変化手段が変化させる第１値に基づいて、前記発射手段から発射される球の発射強度を制御する球制御手段とを備えた遊技機において、
前記第１値変化手段が変化させる第１値を正の実数倍して第３値に変換する変換値手段を備え、
前記球制御手段は、その変換値手段が変換する第３値に基づいて、前記発射手段から発射される球の発射強度を制御するものであることを特徴とする遊技機。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】０５６１
【補正方法】変更
【補正の内容】
【０５６１】
以下に、本発明の遊技機に加えて、上述した実施形態に含まれる各種発明の概念を示す。
操作部材と、その操作部材の操作量に基づいて第１値を変化させる第１値変化手段とを備えた遊技機において、前記第１値と異なる第２値を出力する第２値出力手段と、前記第１値変化手段により変化される第１値を、第２値出力手段により出力される第２値と合成する合成手段と、その合成手段によって前記第１値と前記第２値とが合成された値に基づいて、発射手段から発射される球の発射強度を制御する球強度制御手段とを備えていることを特徴とする遊技機１。第１変化手段は、操作部材の操作量に基づいて第１値を変化させる。この操作部材の操作量により変化する第１値と、第２値出力手段から出力される第２値を合成手段に入力すると、合成手段は、第１値と第２値とを合成する。合成手段によって第１値と第２値とが合成された値に基づいて、球強度制御手段は、発射手段から発射される球の発射強度を制御する。よって、球の発射強度を、操作部材の操作量により変化する第１値に加え、第２値出力手段から出力される第２値によっても調整することができる。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
便器の後部に配置・固定されるとともに局部洗浄用のノズルが設けられた本体と、該本体に対しヒンジを介して回動自在に連結された便蓋及び便座とを有する便座装置において、
前記本体の前部には、該前部の両端部に対して中央部が凹んだ曲成部が形成され、前記本体の前部が前記便器の開口に突出しないようにし、
前記曲成部に、前記ノズルを覆うノズルカバーを設けたことを特徴とする便座装置。
【請求項２】
前記ヒンジは、前記本体の側部に設けたことを特徴とする請求項１に記載の便座装置。
【請求項３】
前記曲成部は、前記本体が配置・固定される前記便器の開口形状に対応した曲成形状を有することを特徴とする請求項１に記載の便座装置。
【請求項４】
前記曲成部は、前記本体が配置・固定される前記便器の後部の開口に対して突出しない曲成形状とすることを特徴とする請求項１に記載の便座装置。
【請求項５】
前記曲成部には、前記ノズルカバーが収容される開口部が形成され、前記ノズルカバーが前記開口部に収容された状態において前記ノズルカバーの面部が前記曲成部と面一になるようにしたことを特徴とする請求項１〜請求項４の何れか一項に記載の便座装置。
【手続補正２】
【補正対象書類名】明細書
【補正対象項目名】０００４
【補正方法】変更
【補正の内容】
【０００４】
上記問題点を解決するために、請求項１に記載の発明は、便器の後部に配置・固定されるとともに局部洗浄用のノズルが設けられた本体と、該本体に対しヒンジを介して回動自在に連結された便蓋及び便座とを有する便座装置において、前記本体の前部には、該前部の両端部に対して中央部が凹んだ曲成部が形成され、前記本体の前部が前記便器の開口に突出しないようにし、前記曲成部に、前記ノズルを覆うノズルカバーを設けたことを要旨とする。
【手続補正３】
【補正対象書類名】明細書
【補正対象項目名】０００７
【補正方法】変更
【補正の内容】
【０００７】
なお、便座装置とは、便器に載置される便座において各種機能が付加されたものをいう。具体的には、便座を温める機能が付加されたいわゆる暖房便座、人体局部に洗浄水を噴射する洗浄機能が付加されたいわゆる衛生洗浄便座、更に同洗浄水を温める機能が付加されたいわゆる温水洗浄便座などをいう。
請求項５に記載の発明は、請求項１〜請求項４のいずれか一項に記載の便座装置において、前記曲成部には、前記ノズルカバーが収容される開口部が形成され、前記ノズルカバーが前記開口部に収容された状態において前記ノズルカバーの面部が前記曲成部と面一になるようにしたことを特徴とする。
【手続補正４】
【補正対象書類名】明細書
【補正対象項目名】０００８
【補正方法】変更
【補正の内容】
【０００８】
（作用）
請求項１〜５に記載の発明によれば、本体の前部は便器の開口に突出しないため、用足し時の開口内からの跳ね返りによって同本体の前部の下部が汚れることを防止する。上記ヒンジは男性小用時の正面から外れた本体の側部に設けられている。従って、尿の飛散等によるヒンジの汚れが抑制される。
【手続補正５】
【補正対象書類名】明細書
【補正対象項目名】０００９
【補正方法】変更
【補正の内容】
【０００９】
請求項１〜５に記載の発明によれば、便器に固定される本体の汚れを抑制し、清潔感を向上させることができる。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
少なくとも前面に開口部を有する筐体と、
該筐体に対して回動可能に軸支され、前記開口部を閉塞する施錠可能な閉塞位置と前記開口部を開放する開放位置との間で開閉可能に設けられた扉形前面部材と、
該扉形前面部材に配置され、遊技に関する操作を行うための遊技操作部と、
該遊技操作部の操作に基づき、遊技の進行を制御する遊技制御手段と、
該遊技制御手段による制御に応じ、所定の演出制御を実行する演出制御手段と、
前記遊技制御手段及び前記演出制御手段を有し、前記筐体内に収容され交換可能な機種ユニットと
を備え、
前記機種ユニットは、前面の少なくとも一部にユニット開口部を有し前記遊技制御基板が内部に収容されるケース状又は枠状のユニット本体、及び、前記ユニット本体に対して回動可能に軸支され、前記ユニット開口部を閉塞／開放可能に設けられた前面開閉部材を有してなり、
さらに、
前記扉形前面部材に前記機種ユニットの前面開閉部材を連動させる連結具を備え、
前記扉形前面部材を前記開放位置へ回動させることによって、前記連結具を介し、前記前面開閉部材が連動して回動し、前記ユニット開口部が開放されて、前記ユニット本体内の前記遊技制御基板が視認可能になる
ことを特徴とする遊技機。
【請求項２】
前記扉形前面部材を前記閉塞位置へ回動させることによって、前記連結具を介し、前記前面開閉部材が連動して回動し、前記ユニット開口部の開放が規制されて、少なくとも前方からの前記ユニット本体内への視覚が遮蔽される
ことを特徴とする請求項１に記載の遊技機。
【請求項３】
前記扉形前面部材は、軸心方向を略鉛直方向とする前記筐体側部の扉軸回りに回動可能となっており、
前記前面開閉部材は、前記扉軸に近接して設けられ、当該扉軸に平行なユニット本体側部の開閉軸回りに回動可能となっている
ことを特徴とする請求項１または請求項２に記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
前面が開口する箱形または枠形の筐体と、
該筐体の前面を閉鎖する閉鎖位置と前記筐体の前面を開放する開放位置との間で横開きの扉状に回動可能に支持された扉形前面部材と、
該扉形前面部材に配置され、遊技者に遊技の進行を指示させることが可能な遊技操作部と、
該遊技操作部の操作等に基づいて遊技の進行を制御する遊技制御手段と、
遊技の進行に準じて所定の演出制御を実行する演出制御手段と、
前記遊技制御手段及び前記演出制御手段が内部に組付けられるとともに、前面の少なくとも一部が開口するユニット本体、及び該ユニット本体の前面に設けられ前記扉形前面部材の回動方向と同方向に回動可能で且つ閉位置と開位置との間で遊動可能に支持された前面開閉部材、を有し、前記筐体内に交換可能な状態で収容される機種ユニットと、
該機種ユニットの前面または内部に設けられ遊技の状況を表す遊技表現手段と、
前記扉形前面部材に設けられ前記遊技表現手段を視認可能とする透視窓と、
前記扉形前面部材によって前記前面開閉部材の遊動状態を規制するとともに、前記扉形前面部材の回動外縁側と前記前面開閉部材の回動外縁側とを連結し、前記扉形前面部材が前記閉鎖位置から前記開放位置に回動する際、前記扉形前面部材の横開き動作を前記前面開閉部材に伝達し、該前面開閉部材を回動させることにより前記ユニット本体の前面を開放させる連結具と
を備え、
前記連結具は、
前記前面開閉部材の回動外縁から突出し、先端側が前記扉形前面部材に対して回転自在に連結される連結杆と、
該連結杆を、前記前面開閉部材における回転軌跡の径方向に沿って摺動可能に支持する摺動案内部材と、
一端側が前記前面開閉部材に軸支され他端側が前記連結杆の基部に回動自在に連結され、且つ前記回動軌跡の径方向に折れ曲がり可能な伸縮アームと
を具備して構成されている
ことを特徴とする遊技機。
【請求項２】
請求項１に記載の遊技機において、
前記伸縮アームは、一端側が前記前面開閉部材に軸支された第一腕部と、両端が該第一腕部の他端側及び前記連結杆の基部に夫々軸支された第二腕部とから構成され、
前記第一腕部の一端側の回動軸は、前記連結杆の摺動直線上から後側に逸脱した位置に配置されていることを特徴とする
遊技機。
【請求項３】
請求項１または請求項２の構成において、
前記連結杆を前記前面開閉部材の回動外縁から最も突出させることの可能な最大突出長さは、前記扉形前面部材が前記開放位置である場合の、前記扉形前面部材の回動外縁と前記前面開閉部材の回動外縁との距離に基づいて設定されていることを特徴とする
遊技機。
【手続補正書】
【提出日】平成22年2月15日(2010.2.15)
【手続補正１】
【補正対象書類名】特許請求の範囲
【補正対象項目名】請求項１
【補正方法】変更
【補正の内容】
【請求項１】
管理対象に取り付けられ、読取装置により読み取られる識別情報を有する識別体を備えた遊技機において、
前記識別体として、第１識別体と第２識別体とを備え、
少なくとも前記第１識別体は、自己の識別情報を有するとともに、前記第２識別体の識別情報を前記自己の識別情報とは別に有することを特徴とする遊技機。
【手続補正２】
【補正対象書類名】特許請求の範囲
【補正対象項目名】請求項７
【補正方法】変更
【補正の内容】
【請求項７】
管理対象に取り付けられ、識別情報を有する識別体と、当該識別体から識別情報を読み取る読取装置と、を備えた遊技機の管理システムにおいて、
前記識別体として、第１識別体と第２識別体とを備え、
少なくとも前記第１識別体は、自己の識別情報を有するとともに、前記第２識別体の識別情報を前記自己の識別情報とは別に有し、
さらに、前記読取装置は、
前記第１識別体及び前記第２識別体のそれぞれから識別情報を読み取る読取手段と、
当該読取手段にて前記第１識別体から読み取った前記第２識別体の識別情報及び前記読取手段にて前記第２識別体から読み取った識別情報を照合する照合手段と、
その照合結果を報知する報知手段と
を備えたことを特徴とする遊技機の管理システム。
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
被検眼の眼底を照明する照明光学系に配置し、異なる波長を発光する２種類以上のＬＥＤを略等間隔で配列した光源と、
前記被検眼の瞳位置と光学的に略共役な位置に配置し、且つ前記２種類以上のＬＥＤを配列させた位置に対応して配置したリング状の開口部を有する瞳絞りと、
を有することを特徴とする眼科撮影装置。
【請求項２】
前記２種類以上のＬＥＤは、
近赤外光ＬＥＤと白色光ＬＥＤとから成る、
近赤外光ＬＥＤと青色光ＬＥＤと緑色光ＬＥＤと赤色光ＬＥＤとから成る、
前記被検眼の眼底の蛍光剤を励起するための青緑色光ＬＥＤと白色光ＬＥＤとから成る、
のうちいずれかであることを特徴とする請求項１に記載の眼科撮影装置。
【請求項３】
前記照明光学系の光路中に大きさの異なるバッフルを挿脱可能とし、瞳面上における前記開口部の内径又は外径を切換える機構と、
前記ＬＥＤは種類毎に異なる半径の同心円状に配列し、各撮影モードにおける前記開口部の内径と外径の平均値と等しい径を有する円上に、前記撮影モードにより使用される種類の前記ＬＥＤを配置したことを特徴とする請求項１あるいは２に記載の眼科撮影装置。
【請求項４】
照明光学系を介して被検眼に照明するための異なる波長の光をそれぞれ発生させる２種類以上のＬＥＤを配置した発光手段と、
前記２種類以上のＬＥＤのうちいずれか一つの種類のＬＥＤを発光させる発光制御手段と、
前記被検眼の瞳と略共役な位置に設けられ、且つ前記発光制御手段で発光した一つの種類のＬＥＤからの光を通す開口部を有する絞り手段と、
前記発光制御手段で発光された種類のＬＥＤの配置に対応して前記開口部の開口状態を変更する変更手段と、
有することを特徴とする眼科撮影装置。
【請求項５】
前記変更手段が、
前記照明光学系の光路に挿脱可能な前記開口部の一部を遮蔽する遮蔽手段と、
前記発光制御手段で発光された種類のＬＥＤの配置に対応して前記遮蔽手段を挿脱して前記開口部の開口状態を変更する挿脱手段と、
を有することを特徴とする請求項４に記載の眼科撮影装置。
【請求項６】
前記２種類以上のＬＥＤがそれぞれ略同心円状に配置されており、
前記変更手段が、前記発光制御手段で発光された種類のＬＥＤの配置に対応して前記開口部の大きさを変更することを特徴とする請求項４あるいは５に記載の眼科撮影装置。
【請求項７】
前記２種類以上のＬＥＤが種類毎に異なる半径の略同心円状に配置されており、
前記変更手段が、前記発光制御手段で発光された種類のＬＥＤの配置に対応して前記開口部の内径又は外径を変更することを特徴とする請求項４乃至６のいずれか１項に記載の眼科撮影装置。
【請求項８】
前記絞り手段が、前記照明光学系の光路に固定して設けられ、且つリング状の開口を有することを特徴とする請求項４乃至７のいずれか１項に記載の眼科撮影装置。
【請求項９】
複数の撮影モードを選択する選択手段を有し、
前記発光制御手段が、前記選択手段により選択された撮影モードに応じて前記２種類以上のＬＥＤのうちいずれか一つの種類のＬＥＤを発光させることを特徴とする請求項４乃至８のいずれか１項に記載の眼科撮影装置。
【請求項１０】
複数の撮影モードを選択する選択手段を有し、
前記発光手段が、近赤外光、白色光、青色光、緑色光、赤色光、青緑色光のうち少なくとも２つの光を発光させるＬＥＤであり、
前記選択手段の選択撮影モードに応じて一つ前記２種類以上のＬＥＤのうちいずれか一つの種類のＬＥＤを発光させることを特徴とする請求項４乃至８のいずれか１項に記載の眼科撮影装置。
【請求項１１】
前記２種類以上のＬＥＤのうち少なくとも１つの種類のＬＥＤのそれぞれのＬＥＤが略等間隔に配置されていることを特徴とする請求項４乃至１０のいずれか１項に記載の眼科撮影装置。
【請求項１２】
前記照明光学系を介して照明された前記被検眼からの戻り光を撮影光学系を介して結像した撮像手段からの信号に基づいて該被検眼の画像を取得する画像取得手段を有することを特徴とする請求項４乃至１１のいずれか１項に記載の眼科撮影装置。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
洗濯物を収納する内槽と、該内槽を回転自在に収納する外槽と、前記内槽を回転駆動する第１の駆動源と、乾燥運転時に前記洗濯物から発生する糸くず等を捕獲する防塵フィルターと、該防塵フィルターに摺接し、該防塵フィルター上を移動して、捕獲された前記糸くず等を除去する除塵体を有し、該除塵体を、前記外槽内の水流で駆動するようにした洗濯乾燥機。
【請求項２】
水流の正転、反転によって除塵体が防塵フィルター上を往復移動する請求項１に記載の洗濯乾燥機。
【手続補正２】
【補正対象書類名】明細書
【補正対象項目名】０００９
【補正方法】変更
【補正の内容】
【０００９】
前記従来の課題を解決するために、本発明の洗濯乾燥機は、洗濯物を収納する内槽と、該内槽を回転自在に収納する外槽と、前記内槽を回転駆動する第１の駆動源と、乾燥運転時に前記洗濯物から発生する糸くず等を捕獲する防塵フィルターと、該防塵フィルターに摺接し、該防塵フィルター上を移動して、捕獲された前記糸くず等を除去する除塵体を有し、該除塵体を、前記外槽内の水流で駆動するようにしたもので、除塵体で防塵フィルターに付着した糸くず等を確実に除去できると共に、除塵体を水流で駆動するので、モータ等の除塵体駆動用の駆動源が不要で、しかも除塵体や防塵フィルターに無理な力が加わることがないので、除塵体や防塵フィルターの耐久性が大幅に向上する。
【手続補正３】
【補正対象書類名】明細書
【補正対象項目名】００１１
【補正方法】変更
【補正の内容】
【００１１】
第１の発明は、洗濯物を収納する内槽と、該内槽を回転自在に収納する外槽と、前記内槽を回転駆動する第１の駆動源と、乾燥運転時に前記洗濯物から発生する糸くず等を捕獲する防塵フィルターと、該防塵フィルターに摺接し、該防塵フィルター上を移動して、捕獲された前記糸くず等を除去する除塵体を有し、該除塵体を、前記外槽内の水流で駆動するようにしたもので、除塵体で防塵フィルターに付着した糸くず等を確実に除去できると共に、除塵体を水流で駆動するので、モータ等の除塵体駆動用の駆動源が不要で、しかも除塵体や防塵フィルターに無理な力が加わわることがなく、除塵体や防塵フィルターの耐久性が大幅に向上する。
【手続補正４】
【補正対象書類名】明細書
【補正対象項目名】００１２
【補正方法】変更
【補正の内容】
【００１２】
第２の発明は、特に、第１の発明の水流の正転、反転によって除塵体が防塵フィルター上を往復移動するもので、除塵体による防塵フィルターからの糸くず等の除去性能が飛躍的に向上する。
以下、本発明の実施例について、図面を参照しながら説明する。なお、本実施例によって本発明が限定されるものではない。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
被検眼眼底を撮影する第１撮影手段を持つ眼底撮影光学系と、被検眼の前眼部を撮影する第２撮影手段を持つ前眼部観察光学系と、前記第１撮影手段によって撮像される被検眼の眼底観察像と前記前眼部観察光学系によって撮像される前眼部像とを切換表示可能な表示手段と、を備える眼底カメラにおいて、
前記第２撮影手段の撮影信号に基づいて被検眼に対する装置本体のアライメント偏位量を検出するアライメント検出手段と、
アライメント基準となるレチクルを前記表示手段の画面上の所定位置に電子的に形成して表示させるとともに，前記アライメント検出手段によって検出されたアライメント偏位量に基づいて前記レチクルとの相対距離を変化させるようにアライメント指標を前記表示手段の画面上に電子的に形成して表示させる表示制御手段であって，前記前眼部像観察画面で表示された前記レチクル及びアライメント指標を、前記眼底像観察画面に切換られた後にも眼底像と重ねて表示する表示制御手段と、
を備えることを特徴とする眼底カメラ。
【請求項２】
請求項１の眼底カメラにおいて、
前記表示制御手段は、
前記アライメント検出手段によって検出される所定のアライメント偏位量に対応する前記レチクルと前記アライメント指標との相対距離が、
前眼部像観察画面よりも眼底像観察画面の方で大きくなるように前記アライメント指標の表示位置を制御することを特徴とする眼底カメラ。
【請求項３】
請求項１の眼底カメラにおいて、
前記表示制御手段は、前記レチクルの大きさが前眼部像観察画面よりも眼底像観察画面で小さくなるように前記レチクルの表示状態を変化させることを特徴とする眼底カメラ。
【請求項４】
被検眼眼底を撮影する第１撮影手段を持つ眼底撮影光学系と、被検眼の前眼部を撮影する第２撮影手段を持つ前眼部観察光学系と、前記第１撮影手段によって撮像される被検眼の眼底観察像と前記前眼部観察光学系によって撮像される前眼部像とを切換表示可能な表示手段と、を備える眼底カメラにおいて、
前記第２撮影手段の撮影信号に基づいて被検眼に対する装置本体のアライメント偏位量を検出するアライメント検出手段と、
アライメント基準となるレチクルを前記表示手段の画面上の所定位置に電子的に形成して表示させるとともに，前記アライメント検出手段によって検出されたアライメント偏位量に基づいて前記レチクルとの相対距離を変化させるようにアライメント指標を前記表示手段の画面上に電子的に形成して表示させる表示制御手段と、を備え、
前記表示制御手段は、
前眼部像観察画面もしくは眼底像観察画面の少なくともいずれかにおいて、
前記アライメント検出手段によって検出されるアライメント偏位量が小さいときには、
前記アライメント偏位量の変化に対する前記レチクルと前記電子アライメント指標との相対距離の変化を大きくし、
前記アライメント検出手段によって検出されるアライメント偏位量が大きいときには、
前記アライメント偏位量の変化に対する前記レチクルと前記電子アライメント指標との相対距離の変化を小さくしたことを特徴とする眼底カメラ。
【手続補正２】
【補正対象書類名】明細書
【補正対象項目名】０００７
【補正方法】変更
【補正の内容】
【０００７】
（１）  被検眼眼底を撮影する第１撮影手段を持つ眼底撮影光学系と、被検眼の前眼部を撮影する第２撮影手段を持つ前眼部観察光学系と、前記第１撮影手段によって撮像される被検眼の眼底観察像と前記前眼部観察光学系によって撮像される前眼部像とを切換表示可能な表示手段と、を備える眼底カメラにおいて、
前記第２撮影手段の撮影信号に基づいて被検眼に対する装置本体のアライメント偏位量を検出するアライメント検出手段と、
アライメント基準となるレチクルを前記表示手段の画面上の所定位置に電子的に形成して表示させるとともに，前記アライメント検出手段によって検出されたアライメント偏位量に基づいて前記レチクルとの相対距離を変化させるようにアライメント指標を前記表示手段の画面上に電子的に形成して表示させる表示制御手段であって，前記前眼部像観察画面で表示された前記レチクル及びアライメント指標を、前記眼底像観察画面に切換られた後にも眼底像と重ねて表示する表示制御手段と、
を備えることを特徴とする。
（２）  （１）の眼底カメラにおいて、
前記表示制御手段は、
前記アライメント検出手段によって検出される所定のアライメント偏位量に対応する前記レチクルと前記アライメント指標との相対距離が、
前眼部像観察画面よりも眼底像観察画面の方で大きくなるように前記アライメント指標の表示位置を制御することを特徴とする眼底カメラ。
（３）  （１）の眼底カメラにおいて、
前記表示制御手段は、前記レチクルの大きさが前眼部像観察画面よりも眼底像観察画面で小さくなるように前記レチクルの表示状態を変化させることを特徴とする。
（４）  被検眼眼底を撮影する第１撮影手段を持つ眼底撮影光学系と、被検眼の前眼部を撮影する第２撮影手段を持つ前眼部観察光学系と、前記第１撮影手段によって撮像される被検眼の眼底観察像と前記前眼部観察光学系によって撮像される前眼部像とを切換表示可能な表示手段と、を備える眼底カメラにおいて、
前記第２撮影手段の撮影信号に基づいて被検眼に対する装置本体のアライメント偏位量を検出するアライメント検出手段と、
アライメント基準となるレチクルを前記表示手段の画面上の所定位置に電子的に形成して表示させるとともに，前記アライメント検出手段によって検出されたアライメント偏位量に基づいて前記レチクルとの相対距離を変化させるようにアライメント指標を前記表示手段の画面上に電子的に形成して表示させる表示制御手段と、を備え、
前記表示制御手段は、
前眼部像観察画面もしくは眼底像観察画面の少なくともいずれかにおいて、
前記アライメント検出手段によって検出されるアライメント偏位量が小さいときには、
前記アライメント偏位量の変化に対する前記レチクルと前記電子アライメント指標との相対距離の変化を大きくし、
前記アライメント検出手段によって検出されるアライメント偏位量が大きいときには、
前記アライメント偏位量の変化に対する前記レチクルと前記電子アライメント指標との相対距離の変化を小さくしたことを特徴とする。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
被験者眼眼底を撮影する第１撮影手段を持つ眼底撮影光学系と、被験者眼の前眼部を撮影する第２撮影手段を持つ前眼部観察光学系と、前記第１撮影手段によって撮像される被験者眼の眼底観察像と前記第２撮影手段によって撮像される前眼部像とを切換表示可能な表示手段と、被験者眼にアライメント指標を投影するためのアライメント指標投影光学系と、を備える眼底カメラにおいて、
被験者眼の視線を誘導する固視標の呈示位置を変更可能な固視標呈示手段と、
前記アライメント指標投影光学系により投影されたアライメント指標に基づいて前記表示手段に表示されるアライメント指標に対してアライメント基準となるレチクルを前記表示手段の画面上の所定位置に電子的に形成して表示させるレチクル表示制御手段であって，前記固視標呈示手段によって変更される固視標の呈示位置に応じて前記レチクルの表示形状を変化させるレチクル表示制御手段と、
を備えることを特徴とする眼底カメラ。
【請求項２】
請求項１の眼底カメラにおいて、
前記レチクル表示制御手段によって表示されるレチクルは枠形状のレチクルであって、
前記レチクル表示制御手段は、
前記固視標呈示手段によって変更される固視標の呈示位置が被験者眼眼底の周辺部を撮影するように設定されると、
前記アライメント指標が前記レチクルの枠内に表示されたときに被験者眼の角膜頂点付近から瞳孔中心付近にかけての所定領域に前記眼底撮影光学系の撮影光軸がアライメントされるように、固視標の呈示位置に応じて前記レチクルの枠形状を変更することを特徴とする眼底カメラ。
【請求項３】
請求項１の眼底カメラにおいて、
前記レチクル表示制御手段は、
前記固視標呈示手段によって変更される固視標の呈示位置が被験者眼眼底の中央部を撮影するように設定されると、標準撮影用の表示形状を持つ標準撮影用レチクルを前記表示手段の画面上に表示し、
前記固視標呈示手段によって変更される固視標の呈示位置が被験者眼眼底の周辺部を撮影するように設定されると、前記標準撮影用レチクルの表示位置に対して被験者眼が誘導される視線方向に応じた所定方向に表示形状が大きくなるようにレチクルの表示形状を変更することを特徴とする眼底カメラ。
【手続補正２】
【補正対象書類名】明細書
【補正対象項目名】０００６
【補正方法】変更
【補正の内容】
【０００６】
（１）  被験者眼眼底を撮影する第１撮影手段を持つ眼底撮影光学系と、被験者眼の前眼部を撮影する第２撮影手段を持つ前眼部観察光学系と、前記第１撮影手段によって撮像される被験者眼の眼底観察像と前記第２撮影手段によって撮像される前眼部像とを切換表示可能な表示手段と、被験者眼にアライメント指標を投影するためのアライメント指標投影光学系と、を備える眼底カメラにおいて、
被験者眼の視線を誘導する固視標の呈示位置を変更可能な固視標呈示手段と、
前記アライメント指標投影光学系により投影されたアライメント指標に基づいて前記表示手段に表示されるアライメント指標に対してアライメント基準となるレチクルを前記表示手段の画面上の所定位置に電子的に形成して表示させるレチクル表示制御手段であって，前記固視標呈示手段によって変更される固視標の呈示位置に応じて前記レチクルの表示形状を変化させるレチクル表示制御手段と、を備えることを特徴とする。
（２）  （１）の眼底カメラにおいて、
前記レチクル表示制御手段は、
前記固視標呈示手段によって変更される固視標の呈示位置が被験者眼眼底の周辺部を撮影するように設定されると、前記アライメント指標が前記レチクルの枠内に表示されたときに被験者眼の角膜頂点付近から瞳孔中心付近にかけての所定領域に前記眼底撮影光学系の撮影光軸がアライメントされるように、固視標の呈示位置に応じて前記レチクルの形状を変更することを特徴とする。
（３）  （１）の眼底カメラにおいて、
前記レチクル表示制御手段は、
前記固視標呈示手段によって変更される固視標の呈示位置が被験者眼眼底の中央部を撮影するように設定されると、標準撮影用の表示形状を持つ標準撮影用レチクルを前記表示手段の画面上に表示し、
前記固視標呈示手段によって変更される固視標の呈示位置が被験者眼眼底の周辺部を撮影するように設定されると、前記標準撮影用レチクルの表示位置に対して被験者眼が誘導される視線方向に応じた所定方向に表示形状が大きくなるようにレチクルの表示形状を変更することを特徴とする。
【誤訳訂正書】
【提出日】平成21年12月17日(2009.12.17)
【誤訳訂正１】
【訂正対象書類名】明細書
【訂正対象項目名】特許請求の範囲
【訂正方法】変更
【訂正の内容】
【特許請求の範囲】
【請求項１】
（ａ）ポリマー樹脂、および（ｂ）導電性充填剤を含む、マイクロエレクトロニクスデバイス用組成物であって、合計１００重量％として酸素スカベンジャーもしくは腐食抑制剤または両者を２〜７重量％の量で添加することにより改良された組成物。
【請求項２】
（ｃ）反応性または非反応性希釈剤、（ｄ）不活性充填剤、および（ｅ）接着促進剤からなる群から選ばれる少なくとも１種の成分をさらに含む、請求項１に記載の組成物。
【請求項３】
（ａ）ポリマー樹脂が１０〜９０重量％の量で存在し、ビニル−、アクリル−、フェノール−、エポキシ−、マレイミド−、ポリイミド−、またはケイ素−含有樹脂よりなる群から選択され；
（ｂ）導電性充填剤が１〜９０重量％の量で存在し、銀、銅、金、パラジウム、白金、カーボンブラック、カーボン繊維、黒鉛、アルミニウム、およびアンチモンドープした酸化スズよりなる群から選択され；
（ｃ）希釈剤が０重量％を超え５０重量％以下の量で存在し、１，４−ブタンジオールジグリシジルエーテルおよびブチルカルビトールよりなる群から選択され；
合計１００重量％である、請求項２に記載の組成物。
【請求項４】
（ａ）ポリマー樹脂が１０〜９０重量％の量で存在し、ビニル−、アクリル−、フェノール−、エポキシ−、マレイミド−、ポリイミド−、またはケイ素−含有樹脂よりなる群から選択され；
（ｂ）導電性充填剤が１〜９０重量％の量で存在し、銀、銅、金、パラジウム、白金、カーボンブラック、カーボン繊維、黒鉛、アルミニウム、およびアンチモンドープした酸化スズよりなる群から選択され；
（ｄ）不活性充填剤が０重量％を超え８０重量％以下の量で存在し、タルク、シリカ、シリケート、窒化アルミニウム、雲母、セラミック、チタン酸バリウム、および二酸化チタンよりなる群から選択され；
合計１００重量％である、請求項２に記載の組成物。
【請求項５】
（ａ）ポリマー樹脂が１０〜９０重量％の量で存在し、ビニル−、アクリル−、フェノール−、エポキシ−、マレイミド−、ポリイミド−、またはケイ素−含有樹脂よりなる群から選択され；
（ｂ）導電性充填剤が１〜９０重量％の量で存在し、銀、銅、金、パラジウム、白金、カーボンブラック、カーボン繊維、黒鉛、アルミニウム、およびアンチモンドープした酸化スズよりなる群から選択され；
（ｅ）接着促進剤が０重量％を超え１０重量％以下の量で存在し、
合計１００重量％である、請求項２に記載の組成物。
【請求項６】
（ａ）ポリマー樹脂が１０〜９０重量％の量で存在し、ビニル−、アクリル−、フェノール−、エポキシ−、マレイミド−、ポリイミド−、またはケイ素−含有樹脂よりなる群から選択され；
（ｂ）導電性充填剤が１〜９０重量％の量で存在し、銀、銅、金、パラジウム、白金、カーボンブラック、カーボン繊維、黒鉛、アルミニウム、およびアンチモンドープした酸化スズよりなる群から選択され；
（ｃ）希釈剤が０重量％を超え５０重量％以下の量で存在し、１，４−ブタンジオールジグリシジルエーテルおよびブチルカルビトールよりなる群から選択され；
（ｄ）不活性充填剤が０重量％を超え８０重量％以下の量で存在し、タルク、シリカ、シリケート、窒化アルミニウム、雲母、セラミック、チタン酸バリウム、および二酸化チタンよりなる群から選択され；
（ｅ）接着促進剤が０重量％を超え１０重量％以下の量で存在し、
合計１００重量％である、請求項１記載の組成物。
【請求項７】
酸素スカベンジャーが、ヒドロキノン、カルボヒドラジド、８−ヒドロキシキノリン、トリヒドロキシベンゼン、アミノフェノール、ヒドラジン、ピロガロール、カルボヒドラゾン、ポリエチレンアミン、シクロヘキサンジオン、ヒドロキシルアミン、メトキシプロピルアミン、シクロヘキシルアミン、ジエチルエタノールアミン、ヒドロキシアルキルヒドロキシルアミン、テトラ置換フェニレンジアミン、モルホリノヘキソースレダクトン、ケト−グルコナート、亜硫酸水素アミン、ラクトン誘導体、フェノール誘導体、および置換キノリンよりなる化合物群から選択される、請求項１〜６のいずれかに記載の組成物。
【請求項８】
腐食抑制剤が、１，１０−フェナチオジン、フェノチアジン、ベンゾトリアゾール、ベンゾイミダゾール、メルカプトベンゾチアゾール、ジシアンジアミド、３−イソプロピルアミノ−１−ブチン、プロパルギルキノリニウムブロミド、３−ベンジルアミノ−１−ブチン、ジプロパルギルエーテル、ジプロパルギルチオエーテル、カプロン酸プロパルギル、ジアミノヘプタン、フェナトロリン、アミン、ジアミン、トリアミン、ヘキサメチレンイミド、デカメチレンイミド、ヘキサメチレンイミンベンゾエート、ヘキサメチレンイミン−３，５−ジニトロベンゾエート、ヘキサメチレンテトラミン、ｄ−オキシイミノ−ｂ−ビニルキヌクリジン、アニリン、６−Ｎ−エチルプリン、１−エチルアミノ−２−オクタデシルイミダゾリン、モルホリン、エタノールアミン、アミノフェノール、８−ヒドロキシキノリン、ピリジンおよびその誘導体、キノリンおよびその誘導体、アクリジン、イミダゾールおよびその誘導体、トルイジン、メルカプタン、チオフェノールおよびその誘導体、スルフィド、スルホキシド、チオホスフェート、ならびにチオ尿素よりなる化合物群から選択される、請求項１〜７のいずれかに記載の組成物。
【請求項９】
ポリマー樹脂がフェノール樹脂およびポリビニルブチラールを含む、請求項１〜８のいずれかに記載の組成物。
【請求項１０】
組成物に合計１００重量％として酸素スカベンジャーもしくは腐食抑制剤または両者を２〜７重量％の量で添加することを含む、組成物の電気的安定性を高める方法。
【誤訳訂正２】
【訂正対象書類名】明細書
【訂正対象項目名】００３７
【訂正方法】変更
【訂正の内容】
【００３７】
実施例４
半導体ダイをリードフレームに接着するのに適した、または半導体パッケージを回路板に接着するのに適した数種の組成物を、酸素スカベンジャーおよび腐食抑制剤を用いて調製し、ダイ剪断強さを測定した。基本配合物である組成物Ｄは、１．０ｇのビスフェノールＦエポキシ樹脂（シェル・ケミカル・カンパニーから）、０．１２ｇの尿素触媒、および４ｇの銀フレークを含有していた。酸素スカベンジャーまたは腐食抑制剤を組成物Ｄに０．０５ｇの量で添加した。アリコートの組成物を銅基板上に分注し、８０ミル×８０ミルのシリコンダイを組成物に接触させ、６０分間、軽く加圧して加熱（１５０℃）した。ロイス（Ｒｏｙｃｅ）システム５５２計測器により、ダイ剪断強さをｋｇで測定した。各組成物について８つの試験片を調べ、結果をプールして平均した。結果を表５に示す。これらのデータは、酸素スカベンジャーの添加が組成物の接着性に不都合な影響を与えないことを示す。